【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
ベースストック組成物であって、前記ベースストック組成物が、６００ｇ／ｍｏｌ〜４０００ｇ／ｍｏｌの数平均分子量（Ｍｎ）と、１０００ｇ／ｍｏｌ〜１２０００ｇ／ｍｏｌの重量平均分子量（Ｍｗ）と、少なくとも１．１５の多分散度（Ｍｗ／Ｍｎ）と、０．０３重量％以下の硫黄含量と、１０重量％以下の芳香族化合物含量と、少なくとも１４ｃＳｔの１００℃での動粘度と、少なくとも１５０ｃＳｔの４０℃での動粘度と、５０〜１２０の粘度指数とを有する水素化処理されたベースストックを含み、前記水素化処理されたベースストックがポリアルファオレフィン（ＰＡＯ）ではない、組成物。
【請求項２】
前記多分散度が、少なくとも１．３である、請求項１に記載の組成物。
【請求項３】
前記組成物が、１３Ｃ−ＮＭＲで測定して、２４．０重量％以下のイプシロン炭素を有する、請求項１に記載の組成物。
【請求項４】
前記数平均分子量（Ｍｎ）が、８００ｇ／ｍｏｌ〜４０００ｇ／ｍｏｌである、請求項１に記載の組成物。
【請求項５】
前記重量平均分子量（Ｍｗ）が、１２００ｇ／ｍｏｌ〜１２０００ｇ／ｍｏｌである、請求項１に記載の組成物。
【請求項６】
前記組成物が、０℃以下の流動点を有する、請求項１に記載の組成物。
【請求項７】
前記組成物が、−５０℃以下のガラス転移温度を有するか；または、前記結晶化温度が、−２０℃以下であるか；またはそれらの組合せである、請求項１に記載の組成物。
【請求項８】
前記組成物が、少なくとも１．０５のアニリン点指数を有する、請求項１に記載の組成物。
【請求項９】
前記組成物が、０．８５ｇ／ｃｍ３〜０．９１ｇ／ｃｍ３の密度を有する、請求項１に記載の組成物。
【請求項１０】
前記組成物が、ａ）少なくとも２００ｃＳｔの４０℃での動粘度；ｂ）少なくとも２０ｃＳｔの１００℃での動粘度；またはｃ）それらの組合せを有する、請求項１に記載の組成物。
【請求項１１】
前記粘度指数が、８０〜１２０である、請求項１に記載の組成物。
【請求項１２】
前記粘度指数が、１００〜１２０である、請求項１に記載の組成物。
【請求項１３】
ベースストック組成物であって、前記ベースストック組成物が、６００ｇ／ｍｏｌ〜４０００ｇ／ｍｏｌの数平均分子量（Ｍｎ）と、１０００ｇ／ｍｏｌ〜１２０００ｇ／ｍｏｌの重量平均分子量（Ｍｗ）と、少なくとも１．１５の多分散度（Ｍｗ／Ｍｎ）と、０．０３重量％以下の硫黄含量と、１０重量％以下の芳香族化合物含量と、少なくとも１４ｃＳｔの１００℃での動粘度と、少なくとも１５０ｃＳｔの４０℃での動粘度と、５０〜１２０の粘度指数と、９０重量％を超えるか又は９５重量％を超える飽和物含量とを有する水素化処理されたベースストックを含み、前記水素化処理されたベースストックがポリアルファオレフィン（ＰＡＯ）ではない、組成物。
【請求項１４】
前記組成物が、１３Ｃ−ＮＭＲで測定して、２４．０重量％以下のイプシロン炭素を有する、請求項１３に記載の組成物。
【請求項１５】
前記数平均分子量（Ｍｎ）が、８００ｇ／ｍｏｌ〜４０００ｇ／ｍｏｌである、請求項１３に記載の組成物。
【請求項１６】
前記重量平均分子量（Ｍｗ）が、１２００ｇ／ｍｏｌ〜１２０００ｇ／ｍｏｌである、請求項１３に記載の組成物。
【手続補正２】
【補正対象書類名】明細書
【補正対象項目名】０１１４
【補正方法】変更
【補正の内容】
【０１１４】
本明細書において、数値の下限および上限が記載されている場合には、各種の下限から各種の上限までの範囲が、考慮に入っている。特定の実施態様に関連させて本発明の開示を記述してきたが、それに限定される訳ではない。特定の条件下での、操作のために好適な変更／修正は、当業者にとっては明らかであるとする。したがって、以下の特許請求項が、そのような変更／修正を本明細書の開示の真の精神および範囲の中に入るものとして、すべてカバーしていると考えるべきであるということが意図されている。
本明細書の開示内容は、以下の態様を含み得る。
（態様１）
ベースストック組成物であって、前記ベースストック組成物が、６００ｇ／ｍｏｌ〜４０００ｇ／ｍｏｌの数平均分子量（Ｍｎ）と、１０００ｇ／ｍｏｌ〜１２０００ｇ／ｍｏｌの重量平均分子量（Ｍｗ）と、少なくとも１．１５の多分散度（Ｍｗ／Ｍｎ）と、０．０３重量％以下の硫黄含量と、１０重量％以下の芳香族化合物含量と、少なくとも１４ｃＳｔの１００℃での動粘度と、少なくとも１５０ｃＳｔの４０℃での動粘度と、５０〜１２０の粘度指数とを有する、組成物。
（態様２）
前記多分散度が、少なくとも１．３である、態様１に記載の組成物。
（態様３）
前記組成物が、１３Ｃ−ＮＭＲで測定して、２４．０重量％以下のイプシロン炭素を有する、態様１に記載の組成物。
（態様４）
前記数平均分子量（Ｍｎ）が、少なくとも８００ｇ／ｍｏｌである、態様１に記載の組成物。
（態様５）
前記重量平均分子量（Ｍｗ）が、少なくとも１２００ｇ／ｍｏｌである、態様１に記載の組成物。
（態様６）
前記組成物が、０℃以下の流動点を有する、態様１に記載の組成物。
（態様７）
前記組成物が、−５０℃以下のガラス転移温度を有するか；または、前記結晶化温度が、−２０℃以下であるか；またはそれらの組合せである、態様１に記載の組成物。
（態様８）
前記組成物が、少なくとも１．０５のアニリン点指数を有する、態様１に記載の組成物。
（態様９）
前記組成物が、０．８５ｇ／ｃｍ３〜０．９１ｇ／ｃｍ３の密度を有する、態様１に記載の組成物。
（態様１０）
前記組成物が、ａ）少なくとも２００ｃＳｔの４０℃での動粘度；ｂ）少なくとも２０ｃＳｔの１００℃での動粘度；またはｃ）それらの組合せを有する、態様１に記載の組成物。
（態様１１）
前記粘度指数が、少なくとも８０である、態様１に記載の組成物。
（態様１２）
前記粘度指数が、少なくとも１００である、態様１に記載の組成物。
（態様１３）
ベースストック組成物であって、前記ベースストック組成物が、６００ｇ／ｍｏｌ〜４０００ｇ／ｍｏｌの数平均分子量（Ｍｎ）と、１０００ｇ／ｍｏｌ〜１２０００ｇ／ｍｏｌの重量平均分子量（Ｍｗ）と、少なくとも１．１５の多分散度（Ｍｗ／Ｍｎ）と、０．０３重量％以下の硫黄含量と、１０重量％以下の芳香族化合物含量と、少なくとも１４ｃＳｔの１００℃での動粘度と、少なくとも１５０ｃＳｔの４０℃での動粘度と、９０重量％を超えるか又は９５重量％を超える飽和物含量とを有する、組成物。
（態様１４）
前記組成物が、１３Ｃ−ＮＭＲで測定して、２４．０重量％以下のイプシロン炭素を有する、態様１３に記載の組成物。
（態様１５）
前記数平均分子量（Ｍｎ）が、少なくとも８００ｇ／ｍｏｌである、態様１３に記載の組成物。
（態様１６）
前記重量平均分子量（Ｍｗ）が、少なくとも１２００ｇ／ｍｏｌである、態様１３に記載の組成物。
（態様１７）
ベースストック組成物を形成するための方法であって、
有効なカップリング条件下、カップリング反応ステージに、５０〜１２０の粘度指数、１２ｃＳｔ以下の１００℃での動粘度と、０．０３重量％未満の硫黄含量と、１０重量％未満の芳香族化合物含量とを有するフィードストックを導入することであって、カップリングされた流出物を形成すること；および
前記カップリングされた流出物を分留することであって、５０〜１２０の粘度指数と、少なくとも１．１５の多分散度（Ｍｗ／Ｍｎ）と、少なくとも１４ｃＳｔの１００℃での動粘度と、少なくとも１５０ｃＳｔの４０℃での動粘度と、０℃以下の流動点とを有する少なくとも第一の製品留分を形成すること
を含む、方法。
（態様１８）
有効な触媒処理条件下で、前記カップリングされた流出物の少なくとも一部を触媒に暴露させることであって、触媒的に処理された流出物を形成することをさらに含み、前記カップリングされた流出物の少なくとも一部を分留することが、前記触媒的に処理された流出物の少なくとも一部を分留することを含む、態様１７に記載の方法。
（態様１９）
前記有効な触媒処理条件が、水素化処理条件、触媒脱ろう条件および水素化精製条件の少なくとも一つを含む、態様１７に記載の方法。
（態様２０）
前記フィードストックが、少なくとも９０重量％のパラフィン含量を含む、態様１７に記載の方法。